(57)【要約】【課題】圧接スリットと電線との圧接による結線を容易に行い、更に、経済的な装置構成とすると共に、僅かな力で結線作業を可能にするモジュラ端子を提供することを目的とする。【解決手段】本体に配列して形成された線ホールドスリットに挿入された電線を、線圧入レバーの押圧リブにより押圧して圧接スリットに結線させるモジュラ端子において、前記線ホールドスリットの配列方向に対して垂直方向に固定されたシャフトを有し、前記線圧入レバーは、前記シャフト方向に摺動し、前記圧接スリット方向に回動可能となるよう前記シャフトに軸着されることにより、上記課題を解決する。【選択図】　　　　図３
2004039433.tif 000002
【特許請求の範囲】
【請求項１】
本体に配列して形成された線ホールドスリットに挿入された電線を、線圧入レバーの押圧リブにより押圧して圧接スリットに結線させるモジュラ端子において、
前記線ホールドスリットの配列方向に対して垂直方向に固定されたシャフトを有し、
前記線圧入レバーは、前記シャフト方向に摺動し、前記圧接スリット方向に回動可能となるよう前記シャフトに軸着されることを特徴とするモジュラ端子。
【請求項２】
本体に配列して形成された線ホールドスリットに挿入された電線を、線圧入レバーの押圧リブにより押圧して圧接スリットに結線させるモジュラ端子において、
前記線圧入レバーに、本体に嵌合させるための円筒軸部と、
前記本体に、前記円筒軸部を嵌め込む円形溝部とを有し、
前記線圧入レバーが前記線ホールドスリットの配列方向に対して垂直方向に摺動し、前記圧接スリット方向に回動可能となるよう前記円形溝部に前記円筒軸部が嵌合されることを特徴とするモジュラ端子。
【請求項３】
前記押圧リブは、
前記線圧入レバーの回動方向の面に、前記圧接スリットを受け入れる少なくとも１つの凹部を有することを特徴とする請求項１又は２に記載のモジュラ端子。
【請求項４】
前記線ホールドスリットの側面に、前記電線を保持する線保持部と、前記線圧入レバーを保持するレバー保持部とを有し、
前記線保持部及び前記レバー保持部は、上部に傾斜を設けて形成させることを特徴とする請求項１又は２に記載のモジュラ端子。
【請求項５】
請求項１から４に記載のモジュラ端子を具備する端子板。
【発明の詳細な説明】
【０００１】
【発明の属する技術分野】
本発明は、モジュラ端子及び該モジュラ端子を具備する端子板に係り、特に、スリット端子片と電線との圧接による結線を容易に行うことができるモジュラ端子及び該モジュラ端子を具備する端子板に関する。
【０００２】
【従来の技術】
近年、電話やコンピューター等、通信機能を有する機器同士の回線を繋ぐ接続用端子としてモジュラ端子が用いられている。モジュラ端子本体には、モジュラージャックを有し、例えば、ＬＡＮケーブル等の先端に取り付けられたモジュラープラグが着脱自在に挿入することができる凹型のハウジングを有している。また、ハウジング内には、モジュラープラグの接触子に接触可能なコンタクトピンが複数配列されている。これにより、モジュラープラグを挿入することでモジュラージャックと、モジュラープラグとが電気的に接続されることになる。
【０００３】
また、配列された複数のコンタクトピンには、外部電線を接続するための端子部が設けられており、端子部には、圧接スリットが形成され、圧接スリットに電線を圧入することによって電線の絶縁被覆を剥ぎながら芯線を挟み込む形式が結線の容易さから多く用いられている。
【０００４】
ここで、圧接スリットと、電線との圧接による結線方法は、様々な方法が用いられており、例えば、特開平０８−３７０４１号公報や特開平１０−３０８２４７号公報等が開示されている。これらは、取り外し（着脱）可能な揺動蓋（整列部材）を有し、圧接スリット方向に対して揺動蓋（整列部材）を移動（回動）させることにより電線を圧接スリットに押し込み、結線を実現している。
【０００５】
【発明が解決しようとする課題】
しかしながら、上述で示した内容は、何れも、ある部位の結線作業から他の部位の結線作業を行う際は、揺動蓋（整列部材）を一度取り外し、所望の場所に取り付けてから結線作業を行うか、電線を結線する本数に対応した揺動蓋（整列部材）を予め用意し取り付けておく必要がある。この場合に前者は、他の電線に対して圧接作業が発生する度に揺動蓋（整列部材）を着脱する必要があり、結線作業に余計な負担が生じると共に、着脱可能であるため、揺動蓋（整列部材）を紛失する可能性がある。また、後者は、揺動蓋（整列部材）の個数分の材料が増加してしまう。更に、一度に多くの本数の電線を結線させる揺動蓋（整列部材）の場合は、一回の操作に大きな力が必要となり、揺動蓋（整列部材）自体もそれに耐え得るように頑丈なものにしておく必要がある。
【０００６】
本発明は、上述した問題点に鑑みなされたものであり、圧接スリットと電線との圧接による結線を容易に行い、更に、材料を削減し経済的な装置構成とすると共に、僅かな力で結線作業を可能にするモジュラ端子及び該モジュラ端子を具備する端子板を提供することを目的とする。
【０００７】
【課題を解決するための手段】
上記課題を解決するために、本件発明は、以下の特徴を有する課題を解決するための手段を採用している。
【０００８】
請求項１に記載された発明は、本体に配列して形成された線ホールドスリットに挿入された電線を、線圧入レバーの押圧リブにより押圧して圧接スリットに結線させるモジュラ端子において、前記線ホールドスリットの配列方向に対して垂直方向に固定されたシャフトを有し、前記線圧入レバーは、前記シャフト方向に摺動し、前記圧接スリット方向に回動可能となるよう前記シャフトに軸着されることを特徴とする。
【０００９】
請求項１記載の発明によれば、線圧入レバーは結線を行う部位に容易に移動することができ、また回動させて結線を行うため、僅かな力で結線作業を行うことができる。また、モジュラ端子毎に線圧入レバーが固定されているため、結線作業の効率を向上させることができる。更に、線圧入レバーは、線ホールドスリット全体の幅より狭い幅となるため、材料を削減し経済的なモジュラ端子の装置構成にすることができる。
【００１０】
請求項２に記載された発明は、本体に配列して形成された線ホールドスリットに挿入された電線を、線圧入レバーの押圧リブにより押圧して圧接スリットに結線させるモジュラ端子において、前記線圧入レバーに、本体に嵌合させるための円筒軸部と、前記本体に、前記円筒軸部を嵌め込む円形溝部とを有し、前記線圧入レバーが前記線ホールドスリットの配列方向に対して垂直方向に摺動し、前記圧接スリット方向に回動可能となるよう前記円形溝部に前記円筒軸部が嵌合されることを特徴とする。
【００１１】
請求項２記載の発明によれば、線圧入レバーは結線を行う部位に容易に移動することができ、また回動させて結線を行うため、僅かな力で結線作業を行うことができる。また、モジュラ端子毎に線圧入レバーが固定されているため、結線作業の効率を向上させることができる。更に、線圧入レバーは、線ホールドスリット全体の幅より狭い幅となるため、材料を削減し経済的なモジュラ端子の装置構成にすることができる。
【００１２】
請求項３に記載された発明は、前記押圧リブは、前記線圧入レバーの回動方向の面に、前記圧接スリットを受け入れる少なくとも１つの凹部を有することを特徴とする。
【００１３】
請求項３記載の発明によれば、押圧リブの凹部に前記圧接スリットを突出するよう設置することで、電線と圧接スリットとの結線と確実に行うことができる。
【００１４】
請求項４に記載された発明は、前記線ホールドスリットの側面に、前記電線を保持する線保持部と、前記線圧入レバーを保持するレバー保持部とを有し、前記線保持部及び前記レバー保持部は、上部に傾斜を設けて形成させることを特徴とする。
【００１５】
請求項４記載の発明によれば、線圧入レバー及び電線を夫々の保持部の下に容易に移動でき、同時に線圧入レバー及び電線を本体に保持させることができるため、モジュラ端子の安定性を向上させることができる。特に、電線については、電線の上部に線圧入レバーがない状態でも線保持部により、電線の位置を固定させることができる。
【００１６】
請求項５に記載された発明は、請求項１から４に記載のモジュラ端子を具備する端子板である。
【００１７】
【発明の実施の形態】
本発明は、モジュラ端子は、本体の圧接スリットと結線される電線とが１対１で保持するための配列された線ホールドスリットを設け、更に、線ホールドスリットの配列方向に対して垂直な方向に固定されたシャフトを設けて、前記シャフトの軸方向に摺動可能な状態で軸着される線圧入レバー（揺動蓋（整列部材））を有することにより、線圧入レバーがシャフトを支軸に回動して、線圧入レバーに具備された押入リブで圧接スリット上にある電線を押圧し、容易に結線することができる。また、シャフト軸上を線圧入レバーが摺動することで、線圧入レバーの他の線ホールドスリット位置への移動を容易にし、同一の線圧入レバーで結線作業を実現することができる。
【００１８】
これにより、線圧入レバーの幅を狭くすることができ、材料を削減して経済的なモジュラ端子の装置構成を実現させたモジュラ端子を提供することができる。
なお、シャフトが固定されているため、線圧入レバーが本体から外れることはなく紛失することがない。
【００１９】
なお、上述の装置構成の他にも線圧入レバーに回動するための円筒軸部を設け、本体にある線ホールドスリットの配列方向に対して垂直方向に形成された円形溝部に嵌合させることでも同様の効果を得ることができる。更に、線ホールドスリットには、線圧入レバー及び電線を本体に保持するための保持部（ストレインリリーフ）を有することで、線圧入レバー及び電線を容易に保持することができ、モジュラ端子の移動や振動等により、電線が圧接スリットから外れたり、線圧入レバーが損傷したりすることを防止し、モジュラ端子の安定性を向上させることができる。
【００２０】
次に、本発明における実施の形態について、図を用いて説明する。なお、後述する実施例では、電話用のモジュラープラグを接続するために４線のモジュラージャックを具備するモジュラ端子について説明するが、本発明において、モジュラージャックの構成は、この限りではなく、例えば、ＬＡＮケーブル用のモジュラープラグであれば、８線のモジュラージャックを有する構成となる。また、圧接スリット側は、８本のピンを有している。つまり、４線の場合は、１線につき２本の圧接スリットを有する（Ｗ付け構造）。また、８線の場合は、１線につき１本の圧接スリットを有する。
【００２１】
図１は、本発明におけるモジュラ端子の本体の一例の斜視図を示す図である。
【００２２】
図１で示す本体１１は、シャフト１２と、シャフト固定部１３と、Ｕスリットピン（コンタクトピン）１４と、線ホールドスリット１５とを有するよう構成されている。
【００２３】
シャフト１２は、後述する線圧入レバーを摺動可能にするために設置されるものであり、線圧入レバーをシャフト１２に軸着した後、シャフト固定部１３により固定される。なお、シャフト１２は、線ホールドスリット１５の配列方向と垂直な方向に設置される。これにより、線圧入レバーが本体１１から着脱することなく、線圧入レバーの紛失を防止することができる。
【００２４】
また、線ホールドスリット１５は、Ｕスリットピン１４を夫々単独で固定し、電線も１本ずつ挿入されるため、電線とＵスリットピン１４との誤った結線を防止することができる。なお、Ｕスリットピン１４は、上述した圧接スリットの一例であり、本発明においてはこの限りではなく、圧接可能なスリット形状であればよい。
【００２５】
次に、上述した線圧入レバーについて、図を用いて説明する。図２は、本発明におけるモジュラ端子で用いられる線圧入レバーの一例の斜視図を示す図である。ここで、図２（ａ）は、２線を同時に結線することができる線圧入レバーの例であり、図２（ｂ）は、４線を同時に結線することができる線圧入レバーの例である。なお、線圧入レバーについては、モジュラ端子の利用形態や電線の太さ等により同時に結線する本数を調整した線圧入レバーが形成される。
【００２６】
図２の線圧入レバー２１は、シャフト挿入孔２２と、押圧リブ２３とを有するよう構成されている。なお、押圧リブ２３には、Ｕスリットピン１４と押圧リブ２３が当接しないようにＵスリットピン１４を受け入れる少なくとも１つの凹部２４が設けられている。ここで、凹部２４は、Ｕスリットピン１４の位置に応じてその数を調整して形成することができ、例えば、図１において、８ヶ所の線ホールドスリット夫々に対して、Ｕスリットピン１４が隣り合うスリット間で千鳥上に設置されていた場合は、千鳥上に位置付けられるＵスリットピン１４の位置（２ヶ所）に凹部２４を設けることで、線圧入レバー２１を直ぐ隣のスリットに移動させた場合でも、押圧リブ２３とＵスリットピンが接触することなく、押圧による結線を容易に行うことができる。
【００２７】
線圧入レバー２１は、シャフト挿入孔２２にシャフト１２を貫通させて軸着されている。これにより、線圧入レバー２１は、シャフト挿入孔２２を支軸として回動可能になり、押圧リブ２３が線ホールドスリット１５の隙間に入り込むことにより、線ホールドスリット１５に挿入された電線とＵスリットピン１４との結線作業を容易に行うことができる。
【００２８】
次に、図１及び、図２の構成を具備した本発明の構成例を図を用いて説明する。図３は、本発明におけるモジュラ端子の一例の斜視図を示す図である。
【００２９】
図３のモジュラ端子は、本体１１と、シャフト１２と、シャフト固定部１３と、線圧入レバー２１とを有するよう構成されている。
【００３０】
図３に示すように、線圧入レバー２１の押圧リブ２３は、線ホールドスリット１５の幅より狭く構成され、電線３１−１〜３１−８が一本ずつ線ホールドスリット１５に挿入される。線圧入レバー２１は、シャフト挿入孔２３を中心に回動し、電線３１を押圧リブ２３で押圧して、Ｕスリットピン１４と結線させる。Ｕスリットピン１４は、電線３１の絶縁被膜を切断し、芯線と挟持するような形状となっている。
【００３１】
また、線圧入レバー２１は、線ホールドスリット１５の配列方向と垂直な方向に固定されたシャフト１２に対して摺動可能であるため、例えば、図２（ａ）の線圧入レバーを用いた場合に、電線３１−１と電線３１−２に対して押圧による結線を行った後、電線３１−３及び電線３１−４を押圧可能となる位置に線圧入レバー２１をシャフト１２軸上に摺動させ、押圧による結線作業を行うことができる。
【００３２】
ここで、電線３１と、Ｕスリットピン１４との結線の様子を図を用いて説明する。図４は、本発明におけるモジュラ端子の側面図の一例を示す図である。
【００３３】
図４に示すように、押圧リブ２３の凹部２４にＵスリットピン１４の先端を備えるよう構成することで、電線３１とＵスリットピン１４との結線を確実なものとし、また、線圧入レバー２１に僅かな力を加えることで容易に結線を行うことができる。
【００３４】
また、本体１１には、モジュラープラグが挿入できるようモジュラージャック（ハウジング）４１を設けており、コンタクトピン（Ｕスリットピン１４）との導通を可能にしている。
【００３５】
これにより、線圧入レバー２１は、線ホールドスリット１５の配列数分の押圧リブ２３を有する必要がないため、線圧入レバー２１の材料を削減することができる。また、シャフト１２は、シャフト固定部１３により固定されているため、移動時に線圧入レバー２１を紛失することがない。
【００３６】
更に、線圧入レバー２１及び電線３１が保持されるように保持部を有することで、移動時にも線圧入レバー２１が損傷することがなく、また、線３１がＵスリットピン１４から外れないようにすることができる。
【００３７】
ここで、上述した保持部を備えた線圧入レバー２１と、本体１１の構成について、図を用いて説明する。図５は、本発明における保持部を説明する線圧入レバーと本体の一構成例の斜視図を示す図である。
【００３８】
図５において、線圧入レバー２１には、凸部５１を設け、線ホールドスリット１５の側面には、保持部として線保持部５２と、線圧入レバー保持部５３とを設けている。ここで、線圧入レバー２１を保持する場合、凸部５１を線圧入レバー保持部５３よりも下に位置付けされるように押下することにより、凸部５１は、線圧入レバー保持部５３に係止され線圧入レバー２１を保持することができる。
また、押圧リブ２３により電線３１を線保持部５２より下に位置付けされるように線圧入レバー２１を押下することにより電線３１を線保持部５２により保持することができる。
【００３９】
また、図５の実施例における電線３１の挿入側からの正面図を図６に示す。
【００４０】
線圧入レバー２１は、回動により電線３１を押下することで、図６に示すように、線保持部５２より下に電線３１を移動させることができ、電線３１を保持させることができる。これにより、電線３１の上部に線圧入レバー２１がない状態でも、線保持部５２により電線３１を固定させることができ、モジュラ端子の安定性を向上させることができる。更に、線圧入レバー２１の凸部５１を線圧入レバー保持部５３より下に位置付けされるように押下することにより、線圧入レバー２１を保持させることができ、モジュラ端子の安定性を更に向上させることができる。
【００４１】
なお、線保持部５２、及び線圧入レバー保持部５３は、上部に傾斜を設けることで、電線３１及び凸部５１が保持部の下に移動し易くすることができる。また、線保持部５２、及び線圧入レバー保持部５３の下部については、保持が確実にできるよう線ホールドスリット１５の側面に対して垂直な面と有する形状とする。なお、線保持部５２、及び線圧入レバー保持部５３は、単なる突起や半円状のものでもよい。
【００４２】
また、上述の線圧入レバー２１は、凸部５１を設けた構成としたが、本発明においてはこの限りではなく、線圧入レバー保持部５３により線圧入レバー２１が係止できるような保持用凹部を設けることで、電線３１を押圧し、線圧入レバー２１を保持することができる。
【００４３】
ここで、上述の内容を図を用いて説明する。図７は、保持用凹部を設けた線圧入レバーの一例を示す図である。なお、図７（ａ）は、線圧入レバー２１の斜視図であり、図７（ｂ）は、図７（ａ）で示した線圧入レバーにおける保持状態の一例を示す電線３１の挿入側からの正面図である。
【００４４】
図７（ａ）に示すように、線圧入レバー２１の押圧リブ２３に、線圧入レバー保持部５３により保持され、更に線保持部５２と接触しないような位置に保持用凹部５４を設けることで、線保持部５２より下に電線３１を移動させることができ、電線３１を保持させることができる。これにより、図７（ｂ）に示すように、電線３１の上部に線圧入レバー２１がない状態でも、線保持部５２により電線３１を固定させることができ、モジュラ端子の安定性を向上させることができる。更に、保持用凹部５４内に線圧入レバー保持部５３が位置付けされるように押下することにより、線圧入レバー２１を保持させることができ、モジュラ端子の安定性を更に向上させることができる。
【００４５】
図８は、上述の実施例を実施したモジュラ端子の一例の斜視図を示す図である。
【００４６】
図８に示すように、線圧入レバー２１を本体１１に保持させることができ、モジュラ端子の安定性を向上させることができる。
【００４７】
なお、上述の実施例では、線圧入レバー２１が摺動可能となるようにシャフト１２を有していたが、他の方法として、線圧入レバー２１と本体１１とに摺動可能な嵌合部を具備することによっても本発明を実現することができる。
【００４８】
図９は、本発明におけるモジュラ端子の第２の実施例を示す図である。
【００４９】
図９のモジュラ端子は、本体８１と、軸支部８２と、停止部８３と、線圧入レバー８４とを有するよう構成されている。なお、線圧入レバー８４には、押圧リブ２３と、円筒軸部８５とを有するよう構成されている。本体８１は、線圧入レバー８４を支持する軸支部８２を有し、軸支部８２には、線ホールドスリット１５の配列方向と垂直な方向に円形溝部８６が形成されている。
【００５０】
円筒軸部８５は、線ホールドスリットの配列方向と垂直な方向に形成された円形溝部８６に嵌め込み可能な大きさであり、円筒軸部８５と円形溝部８６とで嵌合することにより、上述した実施例と同様に、全ての線ホールドスリット１５に対して押圧リブ２３が挿入できるよう摺動及び回動が可能となるため、電線３１の結線を容易に行うことができる。また、停止部８３を有することにより、線圧入レバー８４が本体８１から外れることなく、線圧入レバー８４の紛失を防止することができる。
【００５１】
上述に示すように、本実施例によれば、線圧入レバーは結線を行う部位に容易に移動することができ、また回動させて結線を行うため、僅かな力で結線作業を行うことができる。また、モジュラ端子毎に線圧入レバーが固定されているため、結線作業の効率を向上させることができる。更に、線圧入レバーは、線ホールドスリット全体の幅より狭い幅となるため、材料を削減し経済的なモジュラ端子の装置構成にすることができる。
【００５２】
なお、上述したモジュラ端子を複数具備したモジュラ端子板を構成することもできる。図１０は、本発明におけるモジュラ端子を具備する端子板の一例を示す図である。
【００５３】
図１０の端子板は、４線のモジュラージャックを有するモジュラ端子が１０個具備された端子板である。図１０に示すように、本発明のモジュラ端子を具備することにより、モジュラ端子の個数に応じて結線作業の効率を更に向上させ、また、材料を削減して経済的なモジュラ端子の装置構成にするモジュラ端子板を提供することができる。
【００５４】
上述したように本発明によれば、線圧入レバーは結線を行う部位に容易に移動することができ、また回動させて結線を行うため、僅かな力で結線作業を行うことができる。また、モジュラ端子毎に線圧入レバーが固定されているため、結線作業の効率を向上させることができる。更に、線圧入レバーは、線ホールドスリット全体の幅より狭い幅となるため、材料を削減し経済的なモジュラ端子の装置構成にすることができる。
【００５５】
また、押圧リブに凹部を設け、凹部に前記圧接スリットを突出するよう設置することで、電線と圧接スリットとの結線と確実に行うことができる。更に、本発明における保持部により、線圧入レバー及び電線を夫々の保持部の下に容易に移動でき、同時に線圧入レバー及び電線を本体に保持させることができるため、モジュラ端子の安定性を向上させることができる。
【００５６】
以上、本発明の好ましい実施例を説明したが、本発明はこれに限定されるわけではなく、本発明の要旨の範囲内で種々の変形及び変更が可能である。
【００５７】
【発明の効果】
上述の如く、本発明によれば、線圧入レバーを結線を行う部位に移動させて回動させることで結線を行うため、僅かな力で結線作業を行うことができる。また、モジュラ端子毎に線圧入レバーが固定されるため、結線作業の効率を向上させることができる。更に、線圧入レバーは、線ホールドスリット全体の幅より狭い幅となるため、材料を削減し経済的なモジュラ端子の装置構成にすることができる。
【図面の簡単な説明】
【図１】本発明におけるモジュラ端子の本体の一例の斜視図を示す図である。
【図２】本発明におけるモジュラ端子で用いられる線圧入レバーの一例の斜視図を示す図である。
【図３】本発明におけるモジュラ端子の一例の斜視図を示す図である。
【図４】本発明におけるモジュラ端子の側面図の一例を示す図である。
【図５】本発明における保持部を説明する線圧入レバーと本体の一構成例の斜視図を示す図である。
【図６】図５の実施例における電線の挿入側からの正面図である。
【図７】凹部を設けた線圧入レバーの一例を示す図である。
【図８】線圧入レバーが保持されたモジュラ端子の一例の斜視図を示す図である。
【図９】本発明におけるモジュラ端子の第２の実施例を示す図である。
【図１０】本発明におけるモジュラ端子を具備する端子板の一例を示す図である。
【符号の説明】
１１，８１　本体
１２　シャフト
１３　シャフト固定部
１４　Ｕスリットピン
１５　線ホールドスリット
２１，８４　線圧入レバー
２２　シャフト挿入孔
２３　押圧リブ
２４　凹部
３１　電線
４１　モジュラージャック（ハウジング）
５１　凸部
５２　線保持部
５３　線圧入レバー保持部
５４　保持用凹部
８２　軸支部
８３　停止部
８５　円筒軸部
８６　円形溝部
【図１】
2004039433.tif 000003
【図２】
2004039433.tif 000004
【図３】
2004039433.tif 000005
【図４】
2004039433.tif 000006
【図５】
2004039433.tif 000007
【図６】
2004039433.tif 000008
【図７】
2004039433.tif 000009
【図８】
2004039433.tif 000010
【図９】
2004039433.tif 000011
【図１０】
2004039433.tif 000012